(57)【要約】【課題】  合成樹脂製の連結管と、外周に雄ねじ部を有する接続部を備えた水道用機器の同接続部とを接続する水道用継手とを接続する水道用継手において、接続を容易に行うことができるようにし、しかも、部品点数及び組付工数を削減する。【解決手段】  継手１３を、略円筒状の内側部材２０と、内側部材２０に外嵌される略円筒状の外側部材２１とから構成する。内側部材２０には、連結管１４の端部内周に挿入されるインコア２２と、止水栓１１（１２）の接続部１９の水路開口端１９ａに当接されるフランジ部２３とを設ける。インコア２２の外周には、同連結管１４の端部内周にねじ込まれるテーパ状の雄ねじ部２４を形成する。外側部材２１の内周には、雄ねじ部２４に外嵌可能とされた環状の押圧部２９と、接続部１９の外周の雄ねじ部１９ｂに螺合する雌ねじ部３０とを設ける。【選択図】      図３
2006258182.tif 000002
【特許請求の範囲】
【請求項１】
合成樹脂製の連結管と、外周に雄ねじ部を有する接続部を備えた水道用機器の同接続部とを接続する水道用継手であって、
前記連結管の端部内周に挿入されるインコアと、同インコアの端部に設けられるとともに前記接続部の水路開口端に当接されるフランジ部とを備えた内側部材と、
前記インコアが連結管の端部に挿入された前記内側部材に外嵌可能な略円筒状に形成されるとともに前記接続部の雄ねじ部に螺合する雌ねじ部が設けられた外側部材とからなり、
前記インコアの外周には、連結管の端部内周にねじ込み可能とされたテーパ状の雄ねじ部が形成され、前記外側部材の内周には、同雄ねじ部に外嵌可能とされた環状の押圧部が形成され、
前記外側部材の雌ねじ部を前記接続部の雄ねじ部に螺合させることにより、前記内側部材のフランジ部を接続部の水路開口端に当接させるとともに外側部材の押圧部と内側部材の雄ねじ部との間で連結管を挟持するようにしたことを特徴とする水道用継手。
【請求項２】
前記内側部材の外周において前記雄ねじ部よりもフランジ部側には、前記外側部材の内周に密接するように第１シールが設けられ、
外側部材の内周には、内側部材のインコアに外嵌された連結管の外周に対して雄ねじ部よりもフランジ部側とは反対側で密接するように第２シールが設けられていることを特徴とする請求項１に記載の水道用継手。
【請求項３】
前記フランジ部の外周には、滑り止め用のローレットが形成されていることを特徴とする請求項１又は請求項２に記載の水道用継手。
【請求項４】
前記内側部材の水路におけるフランジ部側の開口端側には、内側部材の軸線方向に延びる断面多角形の孔部が設けられていることを特徴とする請求項１〜請求項３のいずれか一項に記載の水道用継手。
【請求項５】
前記外側部材に対して雌ねじ部側の開口部を塞ぐように着脱自在に装着される保護キャップを備え、この保護キャップは、前記内側部材の孔部に対してその軸線方向に嵌合可能とされた嵌合部と、手で把持されるとともに同嵌合部をその軸線回りに回すための基部とを備えていることを特徴とする請求項４に記載の水道用継手。
【請求項６】
台上に設置される水栓本体と、同水栓本体からその台下に延長される合成樹脂製の連結管と、同連結管の端部に装着される継手とからなる水栓であって、
前記継手を、請求項１〜請求項５のいずれか一項に記載の水道用継手としたことを特徴とする水栓。
【発明の詳細な説明】
【技術分野】
【０００１】
本発明は、合成樹脂製の連結管と、外周に雄ねじ部を有する接続部を備えた水道用機器の同接続部とを接続する水道用継手、及び、水栓本体と、同水栓本体に接続された連結管とを備えるとともに同連結管の端部に同水道用継手が装着される水栓に関するものである。
【背景技術】
【０００２】
従来、この種の継手としては、特許文献１に記載されたものがある。この継手は、合成樹脂製の連結管の端部内周に挿入されるとともに接続部の水路開口端に当接される略円筒状の接手、連結管に外嵌されるリング状のストッパ、接続部の外周に設けられた雄ねじ部に螺合されるとともにストッパを締め付ける略円筒状の接手ケース、及び、接続部の水路開口端と接手との間に介在されるパッキンから構成されている。接手の外周は、基端側（接続部側）ほど拡開するテーパ状となっている。この継手により、連結管と接続部とを接続するには、まず、接手を連結管の端部内周に差し込む。このとき、テーパ状の接手を連結管の端部内周に無理に押し込んで連結管を拡開させなければならないので、接手を連結管に容易に差し込むことはできない。
【０００３】
また、特許文献２には、ホースと、パイプ等の接続部とを接続するジョイントが記載されている。このジョイントは、パイプにろう付けされるプラグと、一端側にプラグが接続されるとともに他端側にホースが接続されるソケットとを備えている。そして、ソケットの一端に係止させたナットを、プラグの外周に設けた雄ねじ部に螺合させることで、プラグにソケットが接続される。また、ホースの端部外周にナットを螺合させ、ソケットの他端側外周に設けた雄ねじ部をホースの端部内周にねじ込むことにより、ナットとソケットとの間にホースの端部を挟持する。このとき、ソケットの他端側外周に雄ねじ部を設けているので、ソケットを回すことにより雄ねじ部のねじ作用によってソケットの他端側をホースの端部内周に対して容易に挿入することができる。従って、このジョイントの構造を特許文献１の継手に応用すれば、ホースの端部に接手を容易に差し込むことができる。
【特許文献１】特開平５−１４１５７８号公報（第１頁〜３頁、第１図〜４図）
【特許文献２】実公平７−３８７９０号公報（第１頁〜３頁、第１図〜４図）
【発明の開示】
【発明が解決しようとする課題】
【０００４】
しかしながら、上記特許文献２のジョイントは、プラグに対するソケットの接続と、ホースに対するソケットの接続とをそれぞれ別の部材を用いて行っているので、部品点数が多く、その分だけ組立工数が多く必要となる。
【０００５】
本発明は、このような従来の技術に存在する問題点に着目してなされたものである。その目的とするところは、合成樹脂製の連結管と、外周に雄ねじ部を有する接続部を備えた水道用機器の同接続部とを接続する水道用継手とを接続する水道用継手において、接続を容易に行うことができるようにし、しかも、部品点数及び組付工数を削減することにある。また、部品点数及び組立工数が少なく設置が容易な水栓を提供することにある。
【課題を解決するための手段】
【０００６】
上記の目的を達成するために、請求項１に記載の発明は、合成樹脂製の連結管と、外周に雄ねじ部を有する接続部を備えた水道用機器の同接続部とを接続する水道用継手であって、前記連結管の端部内周に挿入されるインコアと、同インコアの端部に設けられるとともに前記接続部の水路開口端に当接されるフランジ部とを備えた内側部材と、前記インコアが連結管の端部に挿入された前記内側部材に外嵌可能な略円筒状に形成されるとともに前記接続部の雄ねじ部に螺合する雌ねじ部が設けられた外側部材とからなり、前記インコアの外周には、連結管の端部内周にねじ込み可能とされたテーパ状の雄ねじ部が形成され、前記外側部材の内周には、同雄ねじ部に外嵌可能とされた環状の押圧部が形成され、前記外側部材の雌ねじ部を前記接続部の雄ねじ部に螺合させることにより、前記内側部材のフランジ部を接続部の水路開口端に当接させるとともに外側部材の押圧部と内側部材の雄ねじ部との間で連結管を挟持するようにしたことを特徴とする。
【０００７】
請求項２に記載の発明は、請求項１に記載の発明において、前記内側部材の外周において前記雄ねじ部よりもフランジ部側には、前記外側部材の内周に密接するように第１シールが設けられ、外側部材の内周には、内側部材のインコアに外嵌された連結管の外周に対して雄ねじ部よりも反フランジ部側とは反対側で密接するように第２シールが設けられていることを特徴とする。
【０００８】
請求項３に記載の発明は、請求項１又は請求項２に記載の発明において、前記フランジ部の外周には、滑り止め用のローレットが形成されていることを特徴とする。
請求項４に記載の発明は、請求項１〜請求項３のいずれか一項に記載の発明において、前記内側部材の水路におけるフランジ部側の開口端側には、内側部材の軸線方向に延びる断面多角形の孔部が設けられている。
【０００９】
請求項５に記載の発明は、請求項４に記載の発明において、前記外側部材に対して雌ねじ部側の開口部を塞ぐように着脱自在に装着される保護キャップを備え、この保護キャップは、前記内側部材の孔部に対してその軸線方向に嵌合可能とされた嵌合部と、手で把持されるとともに同嵌合部をその軸線回りに回すための基部とを備えていることを特徴とする。
【００１０】
請求項６に記載の発明は、台上に設置される水栓本体と、同水栓本体からその台下に延長される合成樹脂製の連結管と、同連結管の端部に装着される継手とからなる水栓であって、前記継手を、請求項１〜請求項５のいずれか一項に記載の水道用継手としたことを特徴とする。
【００１１】
（作用）
請求項１に記載の発明によれば、インコアの外周に設けたテーパ状の雄ねじ部のねじ作用によって、合成樹脂製の連結管の端部内周にインコアをねじ込むことができる。同時に、連結管の端部内周へ雄ねじ部が食い込むことにより、インコアと連結管との接続部分が水密状態となる。さらに、内側部材に外嵌した外側部材の押圧部と、インコアの雄ねじ部との間で連結管の端部が挟持される。このため、インコアと連結管との当接部分が確実に水密状態となる。また、水道用機器の接続部の外周に螺合する外側部材により、インコアと共に連結管が接続部に固定される。このため、内側部材及び外側部材のみにより、連結管と接続部とが接続される。
【００１２】
請求項２に記載の発明によれば、内側部材の外周において雄ねじ部よりもフランジ部側に設けられた第１シールが、外側部材の内周に密接する。また、外側部材の内周に設けられた第２シールが、内側部材のインコアに外嵌された連結管の外周に対して雄ねじ部よりも反フランジ部側で密接する。この両シールにより、内側部材と外側部材との間において、内側部材と連結管との当接部分が外部から密封される。このため、内側部材と連結管との間の水密状態が向上する。
【００１３】
請求項３に記載の発明によれば、内側部材のフランジ部を手で把持して内側部材を回し、インコアの雄ねじ部を連結管の端部内周にねじ作用によりねじ込むときに、フランジ部の外周に設けられたローレットによりフランジ部に対する手の滑りが防止される。このため、内側部材のインコアを、連結管の端部内周により容易にねじ込むことができる。
【００１４】
請求項４に記載の発明によれば、内側部材のインコアを連結管の端部内周にねじ込むときに、内側部材の水路におけるフランジ部側の開口端側に設けられた孔部に、同孔部と同じ断面形状の器具を挿入し、この器具を介して内側部材を回すことができる。このため、内側部材のインコアを、連結管の端部内周により容易にねじ込むことができる。
【００１５】
請求項５に記載の発明によれば、外側部材に着脱自在に装着される保護キャップにより、連結管に接続する前の継手の内側に塵埃等の異物が付着することが防止される。また、連結管の端部に内側部材のインコアを挿入するときに、内側部材の孔部に保護キャップの嵌合部を差し込むことにより、保護キャップの基部を手で把持して保護キャップとともに内側部材を回転させ、インコアの雄ねじ部を連結管の端部に容易にねじ込むことができる。このため、水栓を設置する際に工具を用意する必要がなく、継手に装着されている保護キャップを用いて作業を円滑に行うことができる。
【００１６】
請求項６に記載の発明によれば、台上に設置された水栓本体から台下に延長された連結管の端部と、止水栓、逆止弁、ストレーナ及び浄水器等の水道用機器の接続部とを、請求項１〜請求項５のいずれか一項に記載の作用をなす継手により接続することができる。
【発明の効果】
【００１７】
本発明の水道用継手によれば、インコアの外周にテーパ状の雄ねじ部を設け、この雄ねじ部のねじ作用によってインコアを連結管の端部内周にねじ込むようにした。このため、継手と連結管との接続が容易となる。しかも、水道用機器における接続部の外周の雄ねじ部に雌ねじ部が螺合する外側部材により、インコアと共に連結管を接続部材に固定するようにした。このため、内側部材及び外側部材のみにより連結管と接続部とを接続できるので、部品点数及び組立工数が少なくなる。また、上記のような作用効果を有する継手を用いて、水栓本体に接続された連結管の端部を水道用機器の接続部に接続できるので、水栓の部品点数及び組立工数が少なくなり、その設置が容易となる。
【発明を実施するための最良の形態】
【００１８】
次に、本発明を具体化した一実施形態を図１〜図７に従って説明する。
図２は、例えば台としての流し台１上の取付孔２に設置された水栓本体としての混合水栓本体１０と、同流し台１下に設けられた水道用機器としての給水側止水栓１１及び給湯側止水栓１２にそれぞれ接続された継手１３とを示している。混合水栓本体１０と各継手１３とは、架橋ポリエチレン製又はポリブテン製の可撓性を有する連結管１４によりそれぞれ連結されている。なお、給水側止水栓１１及び給湯側止水栓１２の他端には、それぞれ図示しない給水管及び給湯管が接続されている。この実施形態では、混合水栓本体１０、両継手１３及び連結管１４が水栓３を構成している。なお、水道用機器としては、給水側止水栓１１及び給湯側止水栓１２以外にも、逆止弁、ストレーナ又は浄水器単体や、止水栓、逆止弁、ストレーナ及び浄水器のうちの少なくとも２つが一体化されたものがある。
【００１９】
図２に示すように、混合水栓本体１０の胴部１５には、取付孔２内に配置されるとともに下方に延出する給水側接続部１６及び給湯側接続部１７が設けられ、各接続部１６，１７にそれぞれ連結管１４が接続されている。図４に示すように、各連結管１４は、それぞれ前記各接続部１６，１７に外嵌され、その外周にさらにスリーブ１８が外嵌されて締め付けられることで各接続部１６，１７に接続されている。なお、この明細書においては、図２における上下方向を各水栓１０〜１２における上下方向として説明する。
【００２０】
次に、継手１３の構成について詳述する。図２に示すように、継手１３は、連結管１４の下端部を、止水栓１１，１２の各接続部１９に接続する。各接続部１９は水路開口端１９ａを有するとともに、その外周には、継手１３を接続するための雄ねじ部１９ｂが設けられている。図３に示すように、継手１３は、水路を形成する略円筒状の内側部材２０と、この内側部材２０に外嵌される略円筒状の外側部材２１とからなる。
【００２１】
内側部材２０は、連結管１４の端部内周に挿入される円筒状のインコア２２と、インコア２２の下端部外周に設けられるフランジ部２３とを備えている。図１及び図３に示すように、インコア２２の外周には、連結管１４の端部内周にねじ込み可能とされた雄ねじ部２４が形成されている。雄ねじ部２４は、フランジ部２３側ほど拡開するテーパ状に形成されている。また、インコア２２とフランジ部２３との間には段部２５が形成され、この段部２５には周溝２６が形成されている。周溝２６には、外側部材２１の内周面に密接する第１シールとしてのＯリング２７が装着されている。フランジ部２３の外周には、滑り止め用のローレット２３ａが設けられている。また、内側部材２０の水路２０ａにおけるフランジ部２３側の開口部側には、内側部材２０の軸線方向に延びる断面六角形の孔部２０ｂが設けられている。さらに、フランジ部２３の下側外周には段差部２３ｂが設けられ、この段差部２３ｂには、パッキン２８が装着されている。
【００２２】
図３に示すように、外側部材２１は、インコア２２が連結管１４の端部に挿入された内側部材２０に外嵌されている。外側部材２１の上部内周には、インコア２２の雄ねじ部２４に外嵌可能とされた環状の押圧部２９が設けられている。また、外側部材２１の下部内周には、各止水栓１１，１２の接続部１９の雄ねじ部１９ｂに螺合可能とされた雌ねじ部３０が設けられている。押圧部２９と雌ねじ部３０との間には、内側部材２０の段部２５に対面するとともにＯリング２７が密接する段部３１が設けられている。また、外側部材２１の上端側内周には周溝３２が設けられ、この周溝３２には第２シールとしてのＯリング３３が装着されている。このＯリング３３は、内側部材２０のインコア２２に外嵌された連結管１４の外周面に対して雄ねじ部２４よりもフランジ部２３側とは反対側で密接するようになっている。
【００２３】
図５（ａ）は、継手１３に対して着脱自在に装着される保護キャップ３４を示している。この保護キャップ３４は合成樹脂により形成され、連結管１４に接続される前の継手１３に取り付けられている。流し台１に設置される前の水栓３においては、混合水栓本体１０に一対の連結管１４が接続されている一方、継手１３は各連結管１４に接続されていない。これは、継手１３は、流し台１に設けられた取付孔２に通らないためである。このため、継手１３は、水栓３の設置時に、取付孔２に通された各連結管１４に対し流し台１の下で装着される。
【００２４】
保護キャップ３４は、外側部材２１の雌ねじ部３０側の開口部を塞ぐ円板状の基部３５と、この基部３５の上面に設けられた円筒部３６と、基部３５の上面中央に立設された円柱状の軸部３７とを備えている。基部３５の外周面には滑り止め用のローレット３５ａが設けられ、このローレット３５ａにより基部３５を手で把持して軸部３７をその軸線回りに回すことができるようになっている。円筒部３６の外周には、外側部材２１の雌ねじ部３０に螺合する雄ねじ部３６ａが形成されている。軸部３７の先端は同軸部３７の軸線方向に延びる断面正六角形の嵌合部３７ａとされ、この嵌合部３７ａは内側部材２０の孔部２０ｂに嵌合可能とされている。すなわち、嵌合部３７ａは、基部３５が回されることによりその軸線回りに回される。保護キャップ３４は、図５（ｂ）に示すように、軸部３７の嵌合部３７ａが内側部材２０の孔部２０ｂに嵌合された状態で円筒部３６の雄ねじ部３６ａが外側部材２１の雌ねじ部３０に螺合されることにより、継手１３に装着されている。従って、保護キャップ３４により、連結管１４に接続される前の継手１３の内側に、塵埃等の異物が付着することが防止される。
【００２５】
次に、この実施形態の水栓３を設置する手順について説明する。
まず、混合水栓本体１０に接続されている両連結管１４を、流し台１の取付孔２から流し台１下まで挿通させる。そして、混合水栓本体１０を取付孔２に装着する。次に、流し台１の下方まで挿通された両連結管１４にそれぞれ外側部材２１を外嵌させ、外嵌させた外側部材２１を連結管１４の上方に移動させる。次に、図６に示すように、内側部材２０のインコア２２の上部（雄ねじ部２４よりも上側の部分）を連結管１４の端部内周に挿入する。この状態から、内側部材２０のフランジ部２３の外周を手で把持して内側部材２０を回転させ、雄ねじ部２４のねじ作用によりインコア２２を連結管１４の下端部内周にねじ込ませる。あるいは、内側部材２０の断面六角形の孔部２０ｂに保護キャップ３４における軸部３７の断面六角形の嵌合部３７ａを嵌合させ、この保護キャップ３４の基部３５を手で把持して保護キャップ３４とともに内側部材２０を回転させる。そして、雄ねじ部２４のねじ作用によりインコア２２を連結管１４の端部内周にねじ込ませる。このとき、内側部材２０のフランジ部２３、又は、保護キャップ３４の基部３５の外周面に設けられたローレット２３ａ，３５ａにより、内側部材２０又は保護キャップ３４に対する手の滑りが防止される。なお、保護キャップ３４は、インコア２２を連結管１４の内周にねじ込ませた後に内側部材２０から取り外す。こうして、連結管１４の下端部内周に内側部材２０のインコア２２を挿入することにより、図７に示すように、連結管１４の端部を内側部材２０の段部２５上面に当接させる。
【００２６】
次に、連結管１４に結合された内側部材２０の下端を止水栓１１，１２の接続部１９の各水路開口端１９ａに当接させ、内側部材２０の段差部２３ｂに装着したパッキン２８を接続部１９の各水路開口端１９ａに当接させる。この状態で、連結管１４の上方から外側部材２１を下方に移動させ、外側部材２１を内側部材２０に外嵌させる。そして、外側部材２１の雌ねじ部３０を、止水栓１１，１２の接続部１９の雄ねじ部１９ｂに螺合させる。このとき、外側部材２１のみが回され、内側部材２０及び連結管１４は回らない。これにより、図３に示すように、外側部材２１の段部３１の下面が、内側部材２０のフランジ部２３の上面に圧接される。
【００２７】
すると、内側部材２０のフランジ部２３がパッキン２８を介して接続部１９の水路開口端１９ａに押し付けられるとともに、外側部材２１の押圧部２９と内側部材２０の雄ねじ部２４とにより連結管１４が挟持（弾性圧縮）される。この結果、連結管１４の水路と内側部材２０の水路２０ａとが水密状態で連通され、また、内側部材２０の水路２０ａと止水栓１１，１２の水路とが水密状態で連通される。また、内側部材２０の段部２５に設けられたＯリング２７が、外側部材２１の段部３１の内周に密接し、また、外側部材２１の内周に設けられたＯリング３３が、内側部材２０のインコア２２に嵌合した連結管１４の外周に密接する。この結果、両Ｏリング２７，３３により、内側部材２０の雄ねじ部２４と連結管１４の下端部との当接部分が外部から密封される。
【００２８】
以上の結果、連結管１４の下端部と止水栓１１，１２の接続部１６，１７とが継手１３によって接続され、水栓３の設置が完了する。そして、混合水栓本体１０を操作すると、給水側止水栓１１から継手１３及び連結管１４を介して混合水栓本体１０に水が供給され、また、給湯側止水栓１２から継手１３及び連結管１４を介して混合水栓本体１０に湯が供給される。
【００２９】
上記のように構成された継手１３によれば、インコア２２の外周に設けたテーパ状の雄ねじ部２４のねじ作用によって、合成樹脂製の連結管１４の端部内周にインコア２２がねじ込まれる。同時に、連結管１４の端部内周へ雄ねじ部２４が食い込むことにより、インコア２２と連結管１４との当接部分が水密状態となる。さらに、内側部材２０に外嵌した外側部材２１の押圧部２９と、インコア２２の雄ねじ部２４との間で連結管１４の下端部が挟持される。このため、インコア２２と連結管１４との当接部分がより確実に水密状態となる。また、止水栓１１，１２の接続部１９の外周に螺合する外側部材２１により、インコア２２と共に連結管１４が接続部１９に固定される。このため、内側部材２０及び外側部材２１のみにより、連結管１４と接続部１９とを接続することができる。ゆえに、背景技術における特許文献２に記載のジョイントよりも部品点数が１つ少なくなるとともに、その分だけ組立工数が少なくなる。
【００３０】
また、内側部材２０の外周において雄ねじ部２４よりもフランジ部２３側に設けられたＯリング２７が、外側部材２１の内周に密接する。また、外側部材２１の内周に設けられたＯリング３３が、内側部材２０のインコア２２に外嵌された連結管１４の外周に対して雄ねじ部２４よりもフランジ部２３側とは反対側で密接する。そして、この両Ｏリング２７，３３により、内側部材２０と外側部材２１との間において内側部材２０と連結管１４との当接部分が外部から密封される。このため、内側部材２０と連結管１４との間の水密状態が向上する。
【００３１】
また、内側部材２０のフランジ部２３を手で把持して内側部材２０を回し、インコア２２の雄ねじ部２４を連結管１４の端部内周にねじ作用によりねじ込む。このとき、フランジ部２３の外周に設けられたローレット２３ａにより、フランジ部２３に対する手の滑りが防止される。このため、内側部材２０のインコア２２を、連結管１４の端部内周により容易にねじ込むことができる。
【００３２】
また、内側部材２０のインコア２２を連結管１４の端部内周にねじ込むときに、内側部材２０の水路におけるフランジ部２３側の開口端側に設けられた孔部２０ｂに、継手１３の保護キャップ３４の嵌合部３７ａを挿入し、保護キャップ３４を介して内側部材２０を回すことができる。従って、内側部材２０のフランジ部２３よりも大径の保護キャップ３４を回すことにより、連結管１４の端部内周に対してインコア２２をより容易にねじ込むことができる。また、水栓３を設置する際に工具を用意する必要がなく、継手１３に装着されている保護キャップ３４を用いて作業を円滑に行うことができる。
【００３３】
さらに、流し台１上に設置された混合水栓本体１０から台下に延長された連結管１４の下端部と止水栓１１，１２とを、上記のような各作用をなす継手１３により接続することができる。このため、水栓３の部品点数及び組立工数が少なくなり、その設置が容易となる。
【００３４】
なお、図８に示すように、内側部材２０にＯリング２７を設けず、かつ、外側部材２１にＯリング３３を設けない構成としてもよい。
また、内側部材２０の孔部２０ｂの断面形状を三角形、四角形、五角形、又は、七角形以上の多角形としてもよい。あるいは、多角形に近似した断面形状としてもよい。
【００３５】
また、この発明の水栓３を、台上に設置される単水栓、ツーハンドル式湯水混合水栓、サーモスタット式水栓、シャワー引出式水栓等の水栓に具体化してもよい。
また、この発明の水栓３を、流し台１に限らず、洗面台、トイレ用手洗い台等において、その台上に設置される水栓として具体化してもよい。
【００３６】
以下、前記各実施形態から把握される技術的思想のうち、特許請求の範囲に記載した以外の技術的思想を記載する。
略円板状の基部（３５）の片面に円筒部（３６）を設けるとともにその外周に雄ねじ部（３６ａ）を形成し、同片面中央に軸部（３７）を立設させるとともに軸部の軸線方向に延びる断面多角形の嵌合部（３７ａ）をその先端部に設けたことを特徴とする水道用継手のための保護キャップ（３４）。
【図面の簡単な説明】
【００３７】
【図１】一実施形態の水道用継手を示す分解斜視図。
【図２】水栓を示す一部を断面化した正面図。
【図３】継手の要部を示す縦断面図。
【図４】水栓本体と連結管との接続部を示す分解斜視図。
【図５】（ａ）は保護キャップを示す斜視図、（ｂ）は継手に装着された保護キャップを示す縦断面図。
【図６】連結管に接続されるときの継手を示す縦断面図。
【図７】止水栓の接続部に接続されるときの継手を示す縦断面図。
【図８】継手の変形例を示す縦断面図。
【符号の説明】
【００３８】
１…台としての流し台、３…水栓、１０…水栓本体としての混合水栓本体、１１，１２…水道用機器としての止水栓、１３…（水道用）継手、１４…連結管、１９…接続部、１９ａ…水路開口端、１９ｂ…雄ねじ部、２０…内側部材、２０ｂ…孔部、２１…外側部材、２２…インコア、２３…フランジ部、２３ａ…ローレット、２４…雄ねじ部、２７…第１シールとしてのＯリング、２９…押圧部、３０…雌ねじ部、３３…第２シールとしてのＯリング、３４…保護キャップ、３５…基部、３６…円筒部、３６ａ…雄ねじ部、３７…軸部、３７ａ…嵌合部。
【図１】
2006258182.tif 000003
【図２】
2006258182.tif 000004
【図３】
2006258182.tif 000005
【図４】
2006258182.tif 000006
【図５】
2006258182.tif 000007
【図６】
2006258182.tif 000008
【図７】
2006258182.tif 000009
【図８】
2006258182.tif 000010